(57)【要約】  本発明は、第２のコネクタの挿入側を受容するための受容空間を形成している、底壁と直立して向かい合った２側壁とを備えたハウジングを有するコネクタに関する。ハウジングには、第２のコネクタをハウジングの受容空間内に係止するための柔軟性のある抜け止めが設けられている。この抜け止めは、ハウジングの底壁に取り付けられている。
2008503860.tif 000002
【特許請求の範囲】
【請求項１】
第２のコネクタの挿入側を受容するための受容空間を形成している、底壁と直立して向かい合った２つの側壁とを備えたハウジングを有するコネクタであって、前記ハウジングには、第２のコネクタを前記ハウジングの前記受容空間内に係止するための柔軟性のある抜け止めが設けられたコネクタにおいて、前記抜け止めは前記ハウジングの底壁に取り付けられていることを特徴とするコネクタ。
【請求項２】
前記ハウジングの前記底壁には取り付けスロットの列が設けられ、前記抜け止めには、前記底壁の取り付けスロット内に挿入される少なくとも１つの取り付け舌片部が設けられていることを特徴とする請求項１に記載のコネクタ。
【請求項３】
前記抜け止めには、前記ハウジングの前期底壁の取り付けスロット内で受容される２つの取り付け舌片部が設けられていることを特徴とする請求項２に記載のコネクタ。
【請求項４】
前記抜け止めの取り付け舌片部のそれぞれには係止リップが設けられ、前記取り付けスロットのそれぞれには係止スロットが設けられており、前記係止リップは前記係止スロット内で受容されて、前記底壁で前記抜け止めを固定していることを特徴とする請求項１〜３のいずれか一項に記載のコネクタ。
【請求項５】
前記取り付けスロットの列が、前記受容空間内の前記底壁内で、前記側壁に隣接して設けられていることを特徴とする請求項１〜４のいずれか一項に記載のコネクタ。
【請求項６】
前記取り付けスロットの列が、前記受容空間外側の底壁の延伸部内で、前記側壁に隣接して設けられていることを特徴とする請求項１〜４のいずれか一項に記載のコネクタ。
【請求項７】
第２のコネクタの挿入側を受容するための受容空間を形成している、底壁と直立して向かい合った２つの側壁とを備えたハウジングを有するコネクタであって、前記ハウジングには、第２のコネクタを前記ハウジングの前記受容空間内に係止するための柔軟性のある抜け止めが設けられたコネクタにおいて、前記ハウジングの少なくとも一方の側壁には取り付けスロットの列が設けられ、前記抜け止めには、前記側壁の取り付けスロット内に挿入される少なくとも１つの取り付け舌片部が設けられていることを特徴とするコネクタ。
【請求項８】
前記抜け止めには、前記ハウジングの前記底壁の取り付けスロット内で受容される２つの取り付け舌片部が設けられていることを特徴とする請求項７に記載のコネクタ。
【請求項９】
受容空間を形成している、底壁と直立して向かい合った２つの側壁とを備えたハウジングを有するコネクタと、該コネクタハウジングに取り付けられる抜け止めと、を備えたコネクタの組み立てシステムにおいて、前記コネクタハウジングの底壁または少なくとも一方の側壁には、取り付けスロットの列が設けられ、前記抜け止めには、前記取り付けスロットのどの列にも挿入可能とされた少なくとも１つの取り付け舌片部が設けられていることを特徴とするコネクタの組み立てシステム。
【請求項１０】
前記抜け止めには、前記スロットの列の２つの取り付けスロットに挿入可能とされた２つの取り付け舌片部が設けられていることを特徴とする請求項９に記載のコネクタの組み立てシステム。
【請求項１１】
前記抜け止めの取り付け舌片部のそれぞれには係止リップが設けられ、それぞれの取り付けスロットは係止スロットを有し、前記係止リップは前記係止スロットに挿入されて前記コネクタハウジングに前記抜け止めを固定することを特徴とする請求項９または請求項１０に記載のコネクタの組み立てシステム。
【請求項１２】
前記係止スロットは、前期受容空間とは反対側の前記底壁の側部からアクセス可能とされており、所定の工具を係止スロットに挿入可能として前記係止リップの係止を解除し、前記抜け止めを離脱可能としたことを特徴とする請求項１１に記載のコネクタの組み立てシステム。
【請求項１３】
コネクタハウジングの隣り合う取り付けスロット間の間隔が、前記取り付けスロットの列のピッチに対応しており、抜け止めの２つの取り付け舌片部を、隣り合うコネクタハウジングの取り付けスロット内に挿入可能としたことを特徴とする請求項９〜１２のいずれか一項に記載のコネクタの組み立てシステム。
【発明の詳細な説明】
【技術分野】
【０００１】
第２のコネクタの挿入側を受容するための受容空間を形成している、底壁と直立して向かい合った２つの側壁とを備えたハウジングを有するコネクタであって、前記ハウジングには、第２のコネクタを前記ハウジングの前記受容空間内に係止するための柔軟性のある抜け止め（latch）が設けられたコネクタ、及びこのようなコネクタの組み立てシステムを提供する。
【背景技術】
【０００２】
特許文献１には、第２のハウジングの１つの側壁の上方に抜け止めが取り付けられるタイプのコネクタが開示されている。このため、コネクタの総高さ（overall height）は比較的大きくなっている。
【特許文献１】国際公開第９７／４７０５８号パンフレット
【発明の開示】
【発明が解決しようとする課題】
【０００３】
本発明の目的は、上述のタイプのコネクタにおいて、高さを低くできるコネクタを提供しようとするものである。
【課題を解決するための手段】
【０００４】
このために、本発明のコネクタは、前記抜け止めが、ハウジング底壁に取り付けていることを特徴としている。
【発明の効果】
【０００５】
このようにして、コネクタ高さを低くでき、偏平な（low profile）コネクタを得ることができる。
【０００６】
好適な実施例においては、ハウジングの底壁には取り付けスロットの列が設けられ、前記抜け止めには、底壁の取り付けスロット内に挿入される少なくとも１つの取り付け舌片部が設けられている。これにより、抜け止めは、第１のコネクタの大きさ及び受容空間内で第２のコネクタが挿入されるべき場所に応じて、第２のハウジングのあらゆる所望の場所に取り付けることができる。有利な実施例においては、前記抜け止めには、ハウジングの底壁の取り付けスロット内で受容される２つの取り付け舌片部が設けられている。第２のタイプの抜け止めを提供することによって、本発明によるコネクタを使用するにあたって自由度が増加する。ここで、第１のコネクタのサイズによって、１つまたは２つの取り付け舌片部を有する抜け止めを使用することができる。
【０００７】
本発明の別の態様においては、ハウジングの少なくとも一方の側壁には取り付けスロットの列が設けられ、前記抜け止めには、前記側壁の取り付けスロット内に挿入される少なくとも１つの取り付け舌片部が設けられている。
【０００８】
さらに本発明は、受容空間を形成している、底壁と直立して向かい合った２つの側壁とを備えたハウジングを有するコネクタと、該コネクタハウジングに取り付けられる抜け止めと、を備えたコネクタの組み立てシステムを提供するものであって、本発明によれば、このシステムは、前記コネクタハウジングの底壁または少なくとも一方の側壁には、取り付けスロットの列が設けられ、前記抜け止めには、前記取り付けスロットのどの列にも挿入可能とされた少なくとも１つの取り付け舌片部が設けられていることを特長とするものである。
【発明を実施するための最良の形態】
【０００９】
本願発明によるコネクタの実施例を示す図を参照することによって、本発明を詳しく説明する。
図１Ａ及び図１Ｂは、コネクタ１の異なった斜視図を示す。コネクタ１は、底壁３と、直立して向かい合った２つの側壁４及び５とを有するヘッダーすなわちハウジング２を有する。底壁３と、側壁４及び５とは、多数の端子要素７を収容している受容空間６を形成しており、第２のコネクタ８を受容するように適合されている。ここで第２のコネクタは、図１の実施例では、２つの連結したコネクタウエハ９を備えたケーブルコネクタとして作製されている。このような２つの連結したコネクタウエハで組み立てられたケーブルコネクタは、同日に同じ出願人が出願した同時係属の特許出願に、より詳細に記載されている。詳細については、この同時係属の特許出願を参照されたい。
【００１０】
図１で理解できるように、底壁は側壁４に隣接する受容空間６の外側に延伸部１０を有する。底壁３のこの延伸部１０内には、図６及び図７で理解できるように、取り付けスロット１１の列が設けられている。これら図６及び図７は、コネクタ１の部分拡大図を示している。これらの取り付けスロット１１には、取り付けのために、柔軟性のある抜け止め１２が設けられており、本実施例で示されているものは、金属シートから作製されている。抜け止め１２は、図３Ａ及び図３Ｂにより詳細に示されている。抜け止め１２には、図６で理解できるように、取り付け舌片部１３が設けられており、この取り付け舌片部１３は、底壁３の取り付けスロット１１内に挿入されている。取り付け舌片部１３には、係止リップ１４が設けられ、各取り付けスロット１１には、ストッパ（stop）１６により形成された係止スロット１５が設けられている。コネクタ１が抜け止め１２とともに組み立てられると、取り付け舌片部１３は取り付けスロット１１の１つに挿入され、その際に係止リップ１４は内側に押し付けられる。完全に挿入された位置に到達すると、係止リップ１４は係止スロット１５内にスプリングバックし、ストッパ１６と係合することにより、取り付けスロット１１内で抜け止め１２を固定する。
【００１１】
取り付け舌片部１３と反対側の抜け止め１２の端部において、第２のコネクタ８が受容空間６に完全に挿入された際に、抜け止め１２は、第２のコネクタ８と係合する２つの突起１７を備えている。抜け止め１２は、第２のコネクタ８をコネクタ１から離脱しなければならない場合に、第２のコネクタ８から取り外し可能とされている。図２で理解できるように、抜け止め１２は、１つだけのコネクタウエハ９を備えた、異なる大きさのコネクタ１８と係合するように適応されている。
【００１２】
図４Ａ及び図４Ｂは、図５Ａ〜図５Ｆに示すコネクタ１の実施例で使用される抜け止め１９を示す。抜け止め１９は、図３に示された抜け止め１２と同様に作製されており、抜け止め１９の幅は抜け止め１２の幅の実質的に２倍とされている。抜け止め１９には２つの取り付け舌片部１３が設けられており、それぞれの取り付け舌片部１３は係止リップ１４を備えている。取り付け舌片部１３のピッチは、取り付けスロット１１のピッチと対応しており、取り付け舌片部１３は、あらゆる２つの隣接した取り付けスロット１１に挿入可能とされている。このようにして、抜け止め１９は、コネクタ１のハウジング２に関して、コネクタ１の受容空間６内に挿入されるべきコネクタ２０のタイプに応じて、あらゆる所望の位置に取り付け可能とされている。これとは別に、抜け止め１９は、一以上の取り付けスロット１１をスキップするような取り付け舌片部１３の寸法及びピッチとしてもよい。抜け止めには取り付け舌片部を３つ以上設けることも可能である。
【００１３】
４つ、６つまたは８つのコネクタウエハ９を備えた、異なる大きさのコネクタ２０を図５に示す。ここでコネクタ２０は、抜け止め１９の取り得る位置に対応しており、コネクタ２０のコネクタ１への安定した係止を実現している。同様にして、抜け止め１２は、コネクタ１に関して、あらゆる所望の位置に取り付け可能とされている。さらに、コネクタ１に、１つの抜け止め１２及び１つの抜け止め１９を組み合わせ、または、２つ以上の抜け止め１２及び抜け止め１９の組み合わせを提供することもできる。さらに、２つのコネクタ１が互いに隣接して取り付けられる場合、隣り合う２つの取り付けスロット１１の間隔は、抜け止め１９のピッチに対応しており、これにより、抜け止め１９も、隣接するコネクタ１の取り付けスロット１１内で、２つの取り付け舌片部とともに取り付け可能とされている。コネクタハウジング２と抜け止め１２及び抜け止め１９を備えることで、一以上の抜け止め１２及び抜け止め１９を備えたコネクタ１を、コネクタハウジング２に関し、あらゆる所望の位置で組み立てることが可能となる。係止スロット１５は、受容空間６とは反対側の底壁３の側部からアクセス可能とされているので、抜け止め１２または１９は、係止スロット１５内に適当な工具を挿入することで、コネクタハウジング２から簡単に離脱できる。このようにして、組み立てられたコネクタ１を、その使用目的に簡単に適合させることができる。
【００１４】
抜け止め１２及び抜け止め１９はコネクタ１の底壁３に取り付けられるため、コネクタ８または２０が受容空間６に挿入されたときのコネクタ１の総高さは低くでき、その結果、偏平なコネクタシステムを提供できる。図８Ａ及び図８Ｂは、参照符号２１で示された本発明の第２の実施例のコネクタの平面図及び斜視図をそれぞれ示すものである。この場合、取り付けスロット１１の列は、受容空間６内の側壁４の内面側に設けられている。このように、コネクタハウジング２の幅を、延伸部１０を削除することで低減することができる。図８の実施例においては、抜け止め１９が使用されている。しかしながら、抜け止め１２及び、抜け止め１２と１９とを組み合わせたものも、もちろん使用することができる。
【００１５】
代替実施例においては、取り付けスロットの列は、側壁の上端に設けることもできる。
【００１６】
これにより、コネクタ高さは増大するものの、上述のコネクタ及びコネクタ組み立てシステムのさらなる特徴は実現可能である。特に、そのような実施例は、コネクタハウジングのあらゆる所望の位置に、１以上の抜け止めを備えた所望のコネクタを組み合わせる際の自由度が得られる。
【００１７】
本発明は、前記実施例に限定されず、請求項に示した範囲内で様々な形態をとり得る。
【図面の簡単な説明】
【００１８】
【図１Ａ】本発明によるコネクタの第１の実施例であり、第２のコネクタが受容空間に挿入されている状態を示す図である。
【図１Ｂ】本発明によるコネクタの第１の実施例であり、第２のコネクタが受容空間に挿入されている状態を示す図である。
【図２】図１のコネクタの受容空間に異なる第２のコネクタが挿入されている状態を示す図である。
【図３Ａ】本発明のコネクタで用いられる抜け止めの異なる例を示す図である。
【図３Ｂ】本発明のコネクタで用いられる抜け止めの異なる例を示す図である。
【図４Ａ】本発明のコネクタで用いられる抜け止めの異なる例を示す図である。
【図４Ｂ】本発明のコネクタで用いられる抜け止めの異なる例を示す図である。
【図５Ａ】本発明に関するコネクタの異なる実施例であり、様々な大きさの第２のコネクタが受容空間に挿入されている状態を示す図である。
【図５Ｂ】本発明に関するコネクタの異なる実施例であり、様々な大きさの第２のコネクタが受容空間に挿入されている状態を示す図である。
【図５Ｃ】本発明に関するコネクタの異なる実施例であり、様々な大きさの第２のコネクタが受容空間に挿入されている状態を示す図である。
【図５Ｄ】本発明に関するコネクタの異なる実施例であり、様々な大きさの第２のコネクタが受容空間に挿入されている状態を示す図である。
【図５Ｅ】本発明に関するコネクタの異なる実施例であり、様々な大きさの第２のコネクタが受容空間に挿入されている状態を示す図である。
【図５Ｆ】本発明に関するコネクタの異なる実施例であり、様々な大きさの第２のコネクタが受容空間に挿入されている状態を示す図である。
【図６Ａ】図１に示すコネクタを異なる視点から見た部分拡大図であって、コネクタハウジング底壁における抜け止めの取り付け状態を示す図である。
【図６Ｂ】図１に示すコネクタを異なる視点から見た部分拡大図であって、コネクタハウジング底壁における抜け止めの取り付け状態を示す図である。
【図６Ｃ】図１に示すコネクタを異なる視点から見た部分拡大図であって、コネクタハウジング底壁における抜け止めの取り付け状態を示す図である。
【図７】図１に示すコネクタハウジングの部分拡大図である。
【図８Ａ】本発明によるコネクタのさらに別な実施例を示す図である。
【図８Ｂ】本発明によるコネクタのさらに別な実施例を示す図である。
【符号の説明】
【００１９】
１    コネクタ
２    ハウジング
３    底壁
４    側壁
５    側壁
６    受容空間
７    端子要素
８    第２のコネクタ
９    コネクタウエハ
１０  延伸部
１１  取り付けスロット
１２  抜け止め
１３  取り付け舌片部
１４  係止リップ
１５  係止スロット
１６  係止部
１７  突起部
１８  コネクタ
１９  抜け止め
２０  コネクタ
２１  コネクタ
【図１Ａ】
2008503860.tif 000003
【図１Ｂ】
2008503860.tif 000004
【図２】
2008503860.tif 000005
【図３Ａ】
2008503860.tif 000006
【図３Ｂ】
2008503860.tif 000007
【図４Ａ】
2008503860.tif 000008
【図４Ｂ】
2008503860.tif 000009
【図５】
2008503860.tif 000010
【図６】
2008503860.tif 000011
【図７】
2008503860.tif 000012
【図８Ａ】
2008503860.tif 000013
【図８Ｂ】
2008503860.tif 000014
【国際調査報告】
2008503860.tif 000015
2008503860.tif 000016